【手続補正書】
【提出日】平成18年9月4日(2006.9.4)
【手続補正１】
【補正対象書類名】明細書
【補正対象項目名】特許請求の範囲
【補正方法】変更
【補正の内容】
【特許請求の範囲】
【請求項１】
２つの金属管のためのネジ接続（１００）であって、第２の金属管の端部に位置する雌要素（２）にねじ込まれる第１の金属管の端部に位置する雄要素（１）を備え、該雄要素（１）は、２つのフランク、すなわち、ロードフランク（１３、７３、３３）とスタビングフランク（１５、７５、３５）を備えるてい形ネジ（１１、７１、３１）を持つテーパー付外雄ネジ（３）を備え、該雄ネジのネジ山の頂（１７、７７、３９）でのネジの幅（ｌ３）が、該雄ネジの谷底でのネジ幅（ｌ１）より小さく、前記雌要素（２）は、前記雄ネジ（３）とかみ合う形状を持ちかつてい形ネジ（１２、７２、３２）を持つテーパー付内雌ネジ（４）を備え、前記雄及び雌ネジのそれぞれのネジ山の頂の幅（ｌ３、ｌ４）は、かみ合うネジの谷底の幅（ｌ６、ｌ５）よりも大きく、
前記雌ネジと前記雄ネジの相互作用による両ネジ間の相互軸締りばめを生じさせるために、前記雄要素（１）は、組立の間、前記雌ネジ要素（２）にねじ込まれることによって、前記雄ネジ（１１、７１、３１）の前記２つのフランク（１３、１５、７３、７５、３３、３５）が雌ネジ（１２、７２、３２）の２つのフランク、すなわち、ロードフランクとスタビングフランク（１４、１６、７４、７６、３４、３６）に接触し始めるところを越えて配置される前記雄要素と前記雌要素要素の相対的な位置に位置決めされることを特徴とするネジ接続。
【請求項２】
請求項１に記載のネジ接続であって、前記雄及び雌ネジ（３、４）のそれぞれのネジ山の頂（１７、２０）と、かみ合うネジ（４、３）のネジの谷底（１８、１９）の直径方向の干渉は、組立が完全であるとき、負又はゼロであるネジ接続。
【請求項３】
請求項１又は２に記載のネジ接続であって、組立の間に前記雄ネジの前記２つのフランク（１３、１５）が前記雌ネジの前記２つのフランク（１４、１６）に接するとき、かみ合うネジ山の頂と谷底の間に少なくとも０．１５ｍｍの半径方向のクリアランス（ｘ１、ｘ２）が存在するネジ接続。
【請求項４】
請求項１に記載のネジ接続であって、前記雄ネジと雌ネジ（３、４）の一方のネジ山の頂（７７、８０）と、かみ合うネジ（４、３）のネジの谷底（７８、７９）との直径方向の干渉は接続組立の最後の時点において正であるネジ接続。
【請求項５】
請求項１乃至４のいずれか１つに記載のネジ接続であって、前記雄又は雌ネジのロードフランク（１３、１４、７３、７４、３３、３４）とスタビングフランク（１５、１６、７５、７６、３５、３６）とがなす角度δは２０°又はそれ以下であるネジ接続。
【請求項６】
請求項５に記載のネジ接続であって、前記角度δは７°から２０°の範囲であるネジ接続。
【請求項７】
請求項１乃至６のいずれか１つに記載のネジ接続であって、前記各雄及び雌ネジ（３、４）に関し、前記ネジ山の頂（１７、２０、７７、８０、３９、３８）は、ロードフランク側（１３、１４、７３、７４、３３、３４）のネジの谷底（１９、１８、７９、７８、３７、４０）に覆い被さるように突出し、前記ロードフランクと、前記接続軸に対する法線とのなす角度（α）は０から−１５°の範囲であるネジ接続。
【請求項８】
請求項１乃至７のいずれか１つに記載のネジ接続であって、前記少なくとも一つの雄及び／又は雌ネジ（３、４）は前記ネジ山の頂（３９、３８）に向かって開口した溝（６１、６２）を前記ネジの全長又は一部の長さに渡り備えるネジ接続。
【請求項９】
請求項８に記載のネジ接続であって、前記溝（６１、６２）の深さは、最大で前記ネジの深さに等しいネジ接続。
【請求項１０】
請求項８又は９に記載のネジ接続であって、前記開口した溝（６１、６２）の前記ネジ山の頂（３９、３８）における幅は、最大で、前記ネジ山の中間深さにおいて測定される該ネジ山の幅の２／３であるネジ接続。
【請求項１１】
請求項８乃至１０のいずれか１つに記載のネジ接続であって、前記溝（６１、６２）は、Ｕ字形又は丸い底辺を持つＶ字形の断面を持つネジ接続。
【請求項１２】
請求項１乃至１１のいずれか１つに記載のネジ接続であって、前記雄及び雌要素（１、２）はそれぞれ、少なくとも一つのシール面を（５、６）を備え、該雄シール面（５）は実質的に縦方向の向きを有し、組立が完全であるとき、かみ合う該雌シール面（６）と半径方向に干渉するネジ接続。
【請求項１３】
請求項１乃至１２のいずれか１つに記載のネジ接続であって、前記雄及び雌要素（１、２）はそれぞれ、実質的に横向きの少なくとも一つのベアリング表面（７、８）を備え、組立が完全であるとき、該少なくとも一つの雄ベアリング表面（７）は前記雌ベアリング表面（８）に接触するネジ接続。
【請求項１４】
請求項１乃至１３のいずれか１つに記載のネジ接続であって、第１の長い金属管（１０１）の端部に配置される雄要素（１）と、第２の長い金属管（１０２）の端部に配置される雌要素（２）とを備えるネジ接続。
【請求項１５】
両端に雌要素（２、２’）を備える金属カップリング（２０２）を介して、それぞれが接続される端部に雄要素（１、１’）を備える２つの長い金属管（１０１、１０１’）を接続するためのネジ接続（１００、１００’）であって、請求項１乃至１３のいずれか１に記載の２つのネジ接続（１００、１００’）を使用したネジ接続。
【手続補正２】
【補正対象書類名】明細書
【補正対象項目名】０００９
【補正方法】変更
【補正の内容】
【０００９】
もし、雄要素のネジ込みがその位置を越えて雌要素内に延長するならば、雄ネジは、雌要素を放射状（「半径方向」の意、以下、本明細書において同じ）に妨げ始める。それは、雌要素の膨張と雄要素内の縮小に至る。そのような妨げは、過度のひずみ又は変形を進展しないように制限されなければならない。
【手続補正３】
【補正対象書類名】明細書
【補正対象項目名】００４７
【補正方法】変更
【補正の内容】
【００４７】
本発明では、接続組立が完全であるとき、２つの雄ネジと雌ネジ及びかみ合うネジの谷底のそれぞれのネジ山の頂間の対立的な（「直径方向」の意、以下、本明細書において同じ）妨げ（「干渉」の意、以下、本明細書において同じ）は、好ましくは、負又は零である。
【手続補正４】
【補正対象書類名】明細書
【補正対象項目名】００５３
【補正方法】変更
【補正の内容】
【００５３】
有利なことに、もし、巻数の機能（「巻数の関数」の意、以下、本明細書において同じ）である組立トルクの曲線の傾きｄＴ／ｄＮを極端に弱めるほど、くさび効果があまりに厳しいならば、雄及び／又は雌ネジの少なくとも一方は、ネジ山の頂に向かって開く溝をネジの全長又は全長の一部に渡って含む。
【手続補正５】
【補正対象書類名】明細書
【補正対象項目名】００９１
【補正方法】変更
【補正の内容】
【００９１】
雄ネジ３が雌ネジ４にねじ込まれるとき、図６に示される所定のモーメントで、雄ネジ１１の２つのフランク１３、１５は、これらのフランクのほぼ全深さに渡って、雌ネジ１２の２つのフランク１４、１６に接触する。
【手続補正６】
【補正対象書類名】明細書
【補正対象項目名】００９５
【補正方法】変更
【補正の内容】
【００９５】
傾きｄＴ／ｄＮは、要素の金属の弾性率と、ネジのテーパーＴＴと、ネジの長さと、ネジの平均径と、ネジの深さと、ネジのフランク間の角度δと、雄及び雌ネジ間の摩擦係数の関数である。したがって、傾きｄＴ／ｄＮを予測することは可能である。
【手続補正７】
【補正対象書類名】明細書
【補正対象項目名】０１００
【補正方法】変更
【補正の内容】
【０１００】
雄及び雌要素に過度の応力を与えることなく最適なくさび効果を得、かつ、雄要素と雌要素の接続前にネジ上に置かれたグリースが流れることを可能とするために、雄及び雌ネジ（３、４）のそれぞれのネジ山の頂（１７、２０）とかみ合うネジ（４、３）のネジの谷底（１８、１９）のいかなる放射状干渉は避けられるべきであり、従って、両ネジは、特に、それらの幅に関して、雄及び雌ネジのそれぞれのネジ山の頂と、かみ合うネジのネジの谷底の対立的な干渉は、組立が完全であるとき、負又はゼロであるように設計され得る。
【手続補正８】
【補正対象書類名】明細書
【補正対象項目名】０１０１
【補正方法】変更
【補正の内容】
【０１０１】
特に、２つのフランクどうしが最初に接触する瞬間（図６）に、雄ネジの頂１７と雌ネジの奥部１８との間の放射状クリアランスの値ｘ１、及び雌ネジの頂２０と雄ネジの奥部１９との間の放射状クリアランスの値ｘ２が少なくとも０．１５ｍｍであるようにネジは設計され得る。
【手続補正９】
【補正対象書類名】明細書
【補正対象項目名】０１０２
【補正方法】変更
【補正の内容】
【０１０２】
雄及び雌ネジ（３、４）のそれぞれのネジ山の頂と、かみ合うネジ（４、３）のネジの谷底との放射状干渉を避けることの代わりの変形例として、ネジ７１、７２は、特に、それらの幅と深さに関して、組立が完全であるときに雄又は雌ネジの一方のネジ山の頂と、かみ合うネジのネジの谷底との間に正の対立的な干渉を生じるように設計され得る。
【手続補正１０】
【補正対象書類名】明細書
【補正対象項目名】０１０３
【補正方法】変更
【補正の内容】
【０１０３】
そのような変形例を図７、図８及び図９に示す。図７は雌ネジ４を示し、図８は雄ネジ３を示し、図９は雌ネジ４と雄ネジ３を組立てた状態を示す。組立が完全であるとき（図９）、クリアランスｘは、雄ネジの頂７７と雌ネジの谷底７８との間に存在し、一方、雌ネジの頂８０は、雄ネジの谷底７９と放射状に接する。そのような配置は、組立トルクのレベルに関して比較的小さい影響を持つ。
【手続補正１１】
【補正対象書類名】明細書
【補正対象項目名】０１０４
【補正方法】変更
【補正の内容】
【０１０４】
好ましくは、この変形例に関して、雌ネジの頂８０と雄ネジの谷底７９との接触は、かみ合うフランク７３、７４、７５、７６の間の接触の前に起こる。
【手続補正１２】
【補正対象書類名】明細書
【補正対象項目名】０１１８
【補正方法】変更
【補正の内容】
【０１１８】
雄ネジ３１は、かみ合うネジ山の頂３９へ開いている小穴（「溝」の意、以下、本願において同じ）６１を持つ。小穴の側面は、丸い底を持つＶであり、そこでは、Ｖの軸は、接続軸と実質的に垂直である。